(57)【要約】  【課題】組写真を大量に撮影しドキュメントとして構成する様な用途に適用した場合にも業務の効率化が計られ、定型の組写真の撮影に適用しても一連の撮影を容易且つ効率的に行なうことができるこの種のカメラを提供すること。  【解決手段】被写体としての対象物のいずれかの部位を撮影すべきかに関する指示情報を撮影者に認識可能に提供するための指示情報出力手段をカメラに備えた。【選択図】    図３
2006228247.tif 000002
【特許請求の範囲】
【請求項１】
電子スチルカメラと、この電子スチルカメラで撮影して得られた画像データをレイアウトしてドキュメントを生成するコンピュータとからなる画像情報処理システムにおいて、
上記電子カメラは、
光学系と、
上記光学系を通して形成された被写体像を電気信号に変換する撮像手段と、
上記電気信号を、デジタル化された画像データに変換するための画像処理手段と、
上記画像データを記録媒体に記録する記録手段と、
上記コンピュータにおいて、上記記録手段に記録された画像データを自動的にレイアウトするために、上記コンピュータでレイアウトすべき画像データと、この画像データを上記コンピュータでレイアウトする際の配置を特定する情報とを対応づけるリレーション情報を格納するためのリレーションファイルを上記記録媒体上に作成するための作成手段と
撮影に応じて、その撮影で得られた画像データに関するリレーションデータを前記リレーションファイルに格納する格納手段とからなり、
上記コンピュータは、
上記記録媒体に作成された上記リレーションファイル、および上記記録媒体に記録された画像データであって上記リレーションファイルで指定された画像データを入力する入力手段と、
上記入力手段で入力された上記リレーションファイルで指定された画像データと、上記リレーションファイルに格納された上記配置を特定する情報に応じて、上記リレーションファイルで指定された画像データをレイアウトして出力する出力手段と、
を有することを特徴とする画像情報処理システム。
【請求項２】
請求項１に記載の画像情報処理システムにおいて、
上記電子スチルカメラと上記コンピュータとが接続される公衆回線をさらに含み、
電子スチルカメラはさらに、
上記記録媒体に作成された上記リレーションファイル、および上記記録媒体に記録された画像データであって上記リレーションファイルで指定された画像データを上記公衆回線を介して上記コンピュータに伝送するための出力手段を有することを特徴とする。
【請求項３】
請求項１に記載の画像情報処理システムにおいて、
上記記録媒体は上記電子スチルカメラおよび、上記コンピュータに接続可能な記録媒体であり、上記入力手段は、接続された上記記憶媒体から上記電子スチルカメラで記憶された上記リレーションファイル、および上記電子化カメラで撮影された画像データであって上記リレーションファイルで指定された画像データを入力する、
ことを特徴とする。
【請求項４】
請求項１乃至３に記載の画像処理システムであって、
上記電子スチルカメラは、当該電子スチルカメラの使用者により文字データの入力を可能とする文字入力手段を更に有し、
上記作成手段は、上記画像データに加えて上記文字入力手段で入力された文字データと、それら画像データ及び文字データを上記コンピュータでレイアウトする際の配置情報とを対応付けて上記リレーションファイルに格納することを特徴とする。
【請求項５】
請求項３に記載の画像処理システムであって、
上記デジタルスチルカメラがコンピュータに伝送するリレーションファイルは、上記コンピュータにおいて上記撮像手段が撮像した画像データや、上記文字入力手段が入力した文字データを配置してドキュメントを生成するための配置情報を含み、
各配置情報は、配置するデータの種類を表すＩＤと、その配置するデータそのもの又は配置するデータを特定するための情報と、配置する情報のドキュメント上の位置を表す情報により構成されていることを特徴とする。
【発明の詳細な説明】
【技術分野】
【０００１】
本発明は、例えば車両の事故査定等におけるような組写真を定型業務として撮影する作業が簡単に行え、また、撮影した組写真を特定のドキュメント等に利用することが容易な画像処理システムに関するものである。
【背景技術】
【０００２】
従来から電子スチルカメラは、静止画像を記録媒体内に蓄積し、任意の機会に再生して利用することができ、撮影時に即時に記録画像の確認ができる等の利点がある。
【発明の開示】
【発明が解決しようとする課題】
【０００３】
従来の一般的電子スチルカメラでは、多数の静止画像を整理する場合に画像ファイルの内容を逐一確認し必要な画像を多数の中から選別する作業に非常に手間がかかった。また、業務用途で複数の組写真を大量に撮影すると、各々の組写真を或るドキュメントに構成するために多大な工数が必要とされた。
更に、定型の組写真の各所定のコマをもれなく撮影するために、即ち、所定の順序で特定の対象物の各所定の部分を夫々決められた角度や距離或いは画角で間違いなく撮影するためには、特別の熟練と注意が必要とされた。
本発明は、上記のような事情に鑑みてなされたものであり、このような組写真を大量に撮影しドキュメントとして構成するような用途に適用した場合にも業務の効率化が計られ、また、定型の組写真の撮影に適用しても一連の撮影を容易且つ効率的に行なうことができるこの種のカメラを提供しようとするものである。
【課題を解決するための手段】
【０００４】
上記本発明課題を解決するため、本願発明は：
電子スチルカメラと、この電子スチルカメラで撮影して得られた画像データをレイアウトしてドキュメントを生成するコンピュータとからなる画像情報処理システムにおいて、
上記電子カメラは、
光学系と、
上記光学系を通して形成された被写体像を電気信号に変換する撮像手段と、
上記電気信号を、デジタル化された画像データに変換するための画像処理手段と、
上記画像データを記録媒体に記録する記録手段と、
上記コンピュータにおいて、上記記録手段に記録された画像データを自動的にレイアウトするために、上記コンピュータでレイアウトすべき画像データと、この画像データを上記コンピュータでレイアウトする際の配置を特定する情報とを対応づけるリレーション情報を格納するためのリレーションファイルを上記記録媒体上に作成するための作成手段と
撮影に応じて、その撮影で得られた画像データに関するリレーションデータを前記リレーションファイルに格納する格納手段とからなり、
上記コンピュータは、
上記記録媒体に作成された上記リレーションファイル、および上記記録媒体に記録された画像データであって上記リレーションファイルで指定された画像データを入力する入力手段と、
上記入力手段で入力された上記リレーションファイルで指定された画像データと、上記リレーションファイルに格納された上記配置を特定する情報に応じて、上記リレーションファイルで指定された画像データをレイアウトして出力する出力手段と、
を有することを特徴とする画像情報処理システム。……（１）
【０００５】
上記（１）の画像情報処理システムにおいて、
上記電子スチルカメラと上記コンピュータとが接続される公衆回線をさらに含み、
電子スチルカメラはさらに、
上記記録媒体に作成された上記リレーションファイル、および上記記録媒体に記録された画像データであって上記リレーションファイルで指定された画像データを上記公衆回線を介して上記コンピュータに伝送するための出力手段を有することを特徴とする。……（２）
【０００６】
上記（１）の画像情報処理システムにおいて、
上記記録媒体は上記電子スチルカメラおよび、上記コンピュータに接続可能な記録媒体であり、上記入力手段は、接続された上記記憶媒体から上記電子スチルカメラで記憶された上記リレーションファイル、および上記電子化カメラで撮影された画像データであって上記リレーションファイルで指定された画像データを入力する、
ことを特徴とする。……（３）
【０００７】
上記（１）乃至（３）の画像処理システムであって、
上記電子スチルカメラは、当該電子スチルカメラの使用者により文字データの入力を可能とする文字入力手段を更に有し、
上記作成手段は、上記画像データに加えて上記文字入力手段で入力された文字データと、それら画像データ及び文字データを上記コンピュータでレイアウトする際の配置情報とを対応付けて上記リレーションファイルに格納することを特徴とする。……（４）
【０００８】
上記（３）の画像処理システムであって、
上記デジタルスチルカメラがコンピュータに伝送するリレーションファイルは、上記コンピュータにおいて上記撮像手段が撮像した画像データや、上記文字入力手段が入力した文字データを配置してドキュメントを生成するための配置情報を含み、
各配置情報は、配置するデータの種類を表すＩＤと、その配置するデータそのもの又は配置するデータを特定するための情報と、配置する情報のドキュメント上の位置を表す情報により構成されていることを特徴とする。……（５）
【発明の効果】
【０００９】
本発明によれば、電子スチルカメラにおいて撮影して得られた複数の画像データを配置してドキュメントを作成するに当たり、これらの画像データおよび、これらの画像データを配置するための配置情報を対応付けて格納するリレーションファイルを自動的に作成し、画像とリレーションファイルをコンピュータに伝送してリレーションファイルをもとに画像を自動的にレイアウトするので、人手を掛けることなく、所定のドキュメントの作成をすることが可能な情報処理システムを提供することができる。
【発明を実施するための最良の形態】
【００１０】
図１は本発明のカメラの一つの実施の形態としてのデジタル電子スチルカメラの構成を示す斜視図である。
図１において、偏平型のカメラボディ１の前面側に撮影レンズ２が設けられ、上面にはカメラの状態を表示するためのＬＣＤパネル３および操作者がこのカメラに対する種々の操作を行なうための種々のスイッチが配されたスイッチパネル４が設けられている。カメラボディ１の側面にはカードスロット５が設けられている。このカードスロット５はＰＣＭＣＩＡ準拠のカード（フラッシュメモリ或いはＳＲＡＭ等を可とするＩＣメモリカード）６或いは、モデムカード（カード型のモデム）７に適合するものである。上記と同じ側面のカードスロット５より前面側に映像信号の出力端子８が設けられている。またカメラボディ１の後面側には操作者が画像を確認しるためのファインダー９が設けられている。
【００１１】
図２は図１のカメラのスイッチパネル４におけるスイッチの配置の詳細を示す図である。
上方よりスイッチパネル４を見て右側の比較的大きな操作スイッチがスタートスイッチ４１である。このスタートスイッチ４１は撮影モード時にはレリーズスイッチとして機能し、その他のモード時にはモードの確定、或いは、次の動作へ進むための操作部として機能する。スタートスイッチ４１の左に隣接して２つ縦並びに配されたスイッチがパワースイッチ４２およびモードスイッチ４３である。パワースイッチ４２はカメラの電源をオンオフするためのものであり、モードスイッチ４３はカメラの動作モードを切り換えるためのものである。スイッチパネル４の略々中央に配された点灯表示部を含む２つの横長の矩形のスイッチはそれぞれ、カメラ／通信切換スイッチ４４および記録／再生（送信／受信）切換スイッチ４５である。カメラ／通信切換スイッチ４４は通常のカメラとしての動作モードと通信のモードとを切り換えるためのものであり、記録／再生（送信／受信）切換スイッチ４５はカメラがカメラモードで動作しているときの記録／再生の切り換え、および、カメラが通信モードで動作しているときの送信／受信の切り換え操作を行なうためのものである。
【００１２】
円形の縦並びの２つのスイッチ（＋および−）はプラススイッチ４６ａおよびマイナススイッチ４６ｂである。プラススイッチ４６ａは入力時の桁のプラス側への移動あるいは入力データの確定の操作のためのものであり、マイナススイッチ４６ｂは入力桁の後退あるいは入力の取消の操作のためのものである。
２つのスイッチ（＋および−）４６ａおよび４６ｂに隣接して配された２つのスイッチは早送りスイッチ４７ａおよび早戻しスイッチ４７ｂである。早送りスイッチ４７ａはデータの飛ばし送り等の操作あるいは媒体（木構造データファイル）のディレクトリ階層を上げる操作のためのものであり、早戻しスイッチ４７ｂは逆方向でのデータの早送りあるいは媒体（木構造データファイル）のディレクトリ階層を下げる操作を行なうためのものである。
スイッチパネル４の左寄りに配された２つのスイッチはアップスイッチ４８ａおよびダウンスイッチ４８ｂである。アップスイッチ４８ａはデータの選択を先送りする操作を行なうためのものであり、ダウンスイッチ４８ｂはデータの選択を戻す方向の操作を行なうためのものである。
【００１３】
図３は本発明の実施の形態としてのデジタル電子スチルカメラの構成を示すブロック図である。
光学系４０１は撮影レンズを含んで構成されるものであり、被写体の光学像を形成する。この光学像は撮像回路４０２によって電気信号に変換される。撮像回路４０２の次段のＡ／Ｄ変換回路４０３はこの電気信号をデジタル信号（データ）に変換する。このデジタルデータを一旦蓄積するための画像メモリ４０４が設けられている。画像メモリ４０４から読み出されたデジタル画像データはＤ／Ａ変換回路４０５によってアナログ信号に変換され、更にプロセス回路４０６によってビデオ信号に変換されビューファインダー４０７によって映像として観察され得るようになる。
【００１４】
一方、画像メモリ４０４から読み出されたデジタル画像データを圧縮処理し或いは供給された圧縮画像データを伸張処理するための圧縮伸張回路４０８が設けられている。この圧縮伸張回路４０８によって圧縮処理されたデジタル画像データはインターフェース回路（１）４０９を介して、コネクタ（１）４１０に接続されたメモリカード４１１に格納され、或いは、メモリカード４１１から読み出された圧縮画像データがインターフェース回路（１）４０９を介して圧縮伸張回路４０８に供給されて伸張処理される。
インターフェース回路（１）４０９およびコネクタ（１）４１０の系統と並行にインターフェース回路（２）４１２およびコネクタ（２）４１３の系統が設けられ、このコネクタ（２）４１３にモデムカード（カード型のモデム）４１４が接続され、このモデムを介して公衆回線等を通しての外部システムとの通信が行われる。圧縮伸張回路４０８、インターフェース回路（１）４０９およびインターフェース回路（２）４１２はカメラ全体の動作を統括制御するシステム制御回路４１５と結ばれている。システム制御回路４１５はまたデジタル音声信号をＤ／Ａ変換回路４１６に供給し、このＤ／Ａ変換回路４１６によってアナログ信号に変換された音声信号がスピーカ４１７により発音されるようになされている。
【００１５】
図１で説明したＬＣＤパネル３に相応する表示パネル４１８およびスイッチパネル４に相応する操作スイッチ群４１９が設けられ、それぞれシステム制御回路４１５と結ばれている。特に、本発明の要素となる指示情報データを格納したＥＥＰＲＯＭ４２０が設けられ、これもシステム制御回路４１５と結ばれている。また、システム制御回路４１５からの指令に応動するキャラクタジェネレータ４２１が設けられ、このキャラクタジェネレータ４２１から発せられる文字乃至その他のパターン等の信号が既述のプロセス回路４０６の出力であるビデオ信号に重畳されてビューファインダー４０７上に文字乃至その他のパターンとして映出され得るようになされている。
【００１６】
図４は本発明のカメラを用いて車両の事故での査定業務のための撮影を行なう様子を示す図である。先ず、図２のカメラ／通信切換スイッチ４４を通常のカメラとしての動作モードを選択する側に切り換え、且つ、記録／再生（送信／受信）切換スイッチ４５をカメラモードでの動作として記録動作を行なうように切り換える。この状態でパワースイッチ４２をオンにするとカメラは通常撮影モードとなる。モードスイッチ４３を１回押すと通常撮影モードから指示情報選択モードとなり、更に１回押すと通常撮影モードに復帰する。
【００１７】
図５は、本発明のカメラが通常撮影モードで動作しているときのビューファインダー９（またはこれと等価な映像を映出する外部モニタ）およびＬＣＤパネル３上での表示状況を示す図である。この図では上側がビューファインダー９の表示であり下側がＬＣＤパネル３の表示である。図示のように画面左上部にカメラの動作モードの表示（ビューファインダー９上では９ｍ，ＬＣＤパネル３上では３ｍ）と右上部に撮影のコマ番号の表示（ビューファインダー９上では９ｆ，ＬＣＤパネル３上では３ｆ）がなされる。また、このとき、ビューファインダー９には光学系で捕らえた被写体の像がそのまま映出される。
【００１８】
図６は本発明のカメラが指示情報の選択モードにあるときのビューファインダーおよびＬＣＤパネル上での表示状況を示す図である。図２によって説明したカメラの動作モードを切り換えるためのモードスイッチ４３を操作するとこの指示情報の選択モードが選択され、この図６の表示となる。この図でも上側がビューファインダーの表示であり下側がＬＣＤパネルの表示である。図示のようにビューファインダーは画面がミュートされて灰色の画面になり、左上に「撮影：指示情報選択」という指示情報選択モードになっている旨の表示がなされる。この実施の形態のカメラでは、４種類の指示情報が登録されるように構成されていて、それらのうち現在選択されている指示情報の左側に矢印の表示が出るようになっている。アップスイッチ４８ａおよびダウンスイッチ４８ｂを操作することによってこの矢印を移動させて所要の指示情報を選択する。ＬＣＤパネルには、同様に、「撮影：指示情報選択」というそのとき指示情報選択モードにある旨の表示と、ビューファインダー上で矢印で選択されている指示情報の種類を表わす表示がなされる。また、同時にスピーカ４１７から音声によって「指示情報を選択して下さい」というメッセージが出力される。
上記のような選択をした後、スタートスイッチ４１を押すとその指示情報が実行されることになる。
【００１９】
図７は図６の状態で選択操作を行った後スタートスイッチ４１を押してその指示情報が実行されるときのビューファインダーおよびＬＣＤパネル上での表示状況を示す図である。図示のようにビューファインダーの左上に「撮影：事故査定・小破」という指示情報選択モードになっている旨の表示がなされる。また、右上には１−１というコマ番号表示がなされる。同時に、整理番号の入力を要求するメッセージである「入力：整理番号」の表示が画面中央に現れ、入力すべき部分は点滅表示になる。また、同時にスピーカ４１７から音声によって「整理番号を入力して下さい」というメッセージが出力され、ＬＣＤパネルには「撮影：事故査定・小破」「入力：整理番号」の表示がなされる。
ここでアップスイッチ４８ａおよびダウンスイッチ４８ｂを操作することによって、或いは、早送りスイッチ４７ａおよび早戻しスイッチ４７ｂを操作することによって入力候補が選択され表示される。
一つの桁の入力をした後にプラススイッチ４６ａを押すと入力桁が１つ右に移動する。間違って入力した場合にはマイナススイッチ４６ｂを押すことによってカーソルを左側に戻すことができる。
全ての入力が終了した後スタートスイッチ４１を押すと次の段階に移行する。
【００２０】
図８は図７の状態で上記のように全ての入力が終了した後にスタートスイッチ４１を押すことにより移行する状態でのビューファインダーおよびＬＣＤパネルの表示状況を示す図である。
図８の状態ではビューファインダーの略々中央に「入力：コメント」というメッセージの表示がなされ、コメントの入力ができるようになる。このときのコメントの入力のための操作方法は、図７について説明した整理番号の入力の操作と同様である。ＬＣＤパネルにも「入力：コメント」の表示がなされる。同時に「コメントを入力して下さい」という音声によるメッセージも出力される。
【００２１】
図９は図８の状態で上記コメント入力が終了した後にスタートスイッチ４１を押すことにより移行する段階でのビューファインダーおよびＬＣＤパネルの表示状況を示す図である。
図９の段階になると、この実施の形態では、ビューファインダーの下方に「撮影：ナンバープレート」という表示がなされ同時にＬＣＤパネルにも「撮影：ナンバープレート」の表示がなされる。また、「ナンバープレートを撮影して下さい」という音声によるメッセージも出力される。
操作者はこの指示情報（メッセージ）に従ってナンバープレートをフレーミングしてスタートスイッチ４１を押すことにより最初の撮影が完了する。
【００２２】
図１０は図９の状態で最初の撮影（ナンバープレートの撮影）が終了した後に移行する段階でのビューファインダーおよびＬＣＤパネルの表示状況を示す図である。
この図１０の段階では、図９の段階で撮影したナンバープレートがビューファインダーに再現される。メッセージは「確認：ナンバープレート」と表示される。音声は「ナンバープレート画像を確認して下さい。」と発声される。
操作者はナンバープレート画像をビューファインダーで確認して、撮影が良好で間違いがなければスタートスイッチ４１を押す。もし撮影が良好でなかったり間違いであればマイナススイッチ４６ｂを押すことにより図９の状態に戻る。
【００２３】
図１１は図１０の状態で最初の撮影（ナンバープレートの撮影）が良好で間違いがない場合にスタートスイッチ４１を押すことにより移行する状態でのビューファインダーおよびＬＣＤパネルの表示状況を示す図である。
ビューファインダーには、被写体像が再び表示され「撮影：車台番号」とカメラからの指示が表示される。ＬＣＤパネルにも同様の表示がなされる。音声は「車台番号を撮影して下さい」と発声する。これに応えて撮影者が車台番号をフレーミングしてスタートスイッチ４１を押すことによりこの段階での撮影が完了する。
【００２４】
図１２は図１１の状態で２回目の撮影（車台番号の撮影）が終了した後に移行する段階でのビューファインダーおよびＬＣＤパネルの表示状況を示す図である。
図１２の段階ではカメラは被写体をそのままビューファインダーに映出しながら「撮影：ボティ全体」とメッセージを表示する。ＬＣＤパネルにも同様の表示がなされ、音声は「ボティ全体を撮影して下さい」と発声する。これに応えて撮影者がボティ全体をフレーミングしてスタートスイッチ４１を押すことによりこの段階での撮影が完了する。
【００２５】
図１３は図１２の状態で３回目の撮影（ボティ全体の撮影）が終了した後に移行する段階でのビューファインダーおよびＬＣＤパネルの表示状況を示す図である。
この図１３の段階ではカメラは被写体をそのままビューファインダーに映出しながら「撮影：破損部分」とメッセージを表示する。ＬＣＤパネルにも同様の表示がなされ、音声は「破損部分を撮影して下さい」と発声する。撮影者がこれに応えて破損部分をフレーミングしてスタートスイッチ４１を押すことによりこの段階での撮影が完了する。
【００２６】
図１４は、図１３の状態で４回目の撮影（破損部分の撮影）が終了した後に移行する段階でのビューファインダーおよびＬＣＤパネルの表示状況を示す図である。
この図１４の段階では、図１３の段階で撮影した破損部分がビューファインダーに再現される。メッセージは「確認：破損部分」と表示される。音声は「破損部分の画像を確認して下さい。」と発声される。
操作者は破損部分の画像をビューファインダーで確認して、撮影が良好で間違いがなければスタートスイッチ４１を押す。もし撮影が良好でなかったり間違いであればマイナススイッチ４６ｂを押すことにより図１４の状態に戻る。
【００２７】
図１５は図１４の状態で前段階の撮影（破損部分の撮影）が良好で間違いがない場合にスタートスイッチ４１を押すことにより移行する状態でのビューファインダーおよびＬＣＤパネルの表示状況を示す図である。
ビューファインダーの画面はミュートされ「撮影終了」というメッセージが表示される。ＬＣＤパネルにも「撮影：終了」の表示がなされる。音声は「撮影は終了しました」と発声する。これで１組の組写真の撮影が完了する。
尚、上記各段階でのビューファインダーおよびＬＣＤパネルの右上部のコマ番号表示が１−１，１−２，１−３，１−４，１−５のように左右の数字がハイフンで結ばれた形をとっているが、このハイフンの左側の数字が画像ファイルの階層構造（木構造）の記録に関するルートディレクトリの位置の表示であり、ハイフンの右側の数字がこのルートディレクトリ内に登録されているサブディレクトリの表示である。このサブディレクトリ内に上記各段階で撮影された画像のファイルが格納されている。
【００２８】
図１６は図３のデジタル電子スチルカメラのＥＥＰＲＯＭ４２０内に格納されている指示情報データの構造を示す模式図である。この実施の形態では、指示情報は４つ登録できるようになっているため、先頭に指示情報のポインタが４つ確保されている。これら４つのポインタの後に指示情報のブロックが４つ配置されている。図１６ではこれら４つの指示情報のブロックのうちの先頭の指示情報１に関するものが表わされ、それ以降のものは図示省略されている。指示情報のデータ構成は可変長のデータ構成になっていて、各々の指示情報データは複数の可変長のステップの集合体として構成されている。
【００２９】
その可変長のステップの先頭には、そのステップのＩＤが書かれている。例えば、＜タイトル＞，＜書式ＩＤ＞，＜文字入力＞，＜撮影＞，＜確認＞，＜終了＞といったものになる。
タイトルのステップは、ＩＤのタイトルの後にユーザー（撮影者）に見せるための「事故査定小破」というような文字情報が記述されている。
以上が指示情報１に関する指示情報のブロックであるが、この実施の形態では、図示省略された指示情報２について上記指示情報１での文字情報に対応するものとして「事故査定大破」というような文字情報が記述されている。
【００３０】
＜書式ＩＤ＞０００１とは、指示情報データに基づいて実際に作成されたデータとこれに対応する画像データとを組み合わせてドキュメントの様式を決定するものである。
【００３１】
＜文字入力＞には、ユーザーにどのような文字を入力するかを指示するための文字データである。この例では、「整理番号」或いは「コメント」であり、図７および図８について説明したようなビューファインダーの略々中央に出るメッセージの表示である。入力の文字数を規定することによって書式ＩＤで規定された様式中のどこの部分（様式内での位置）のデータに該当するかという対応付けの表示がＰＡＲＴ＝１或いはＰＡＲＴ＝２というデータとなっている。
＜文字入力＞「コメント」とあるのは既述の図８の表示状態に対応するもので、ユーザーに対してはこの「コメント」という文字列を表示のために使用する。この実施の形態ではこの「コメント」という項目に３２文字を割り当て、この内容に対応する様式中のＰＡＲＴ＝２の位置にこのデータを埋め込む。
【００３２】
＜撮影＞はユーザーに対する指示情報として「ナンバープレート」という文字によるメッセージを表示する。これは既述の図９の状態に対応する。このときの上記様式のドキュメント内での位置がＰＡＲＴ＝３として示される。
【００３３】
既述の図１０でナンバープレートの確認という段階があるが、これが図１６のデータ構造における次の＜確認＞というステップである。このステップでもユーザーに対し確認のために「ナンバープレート」という文字によるメッセージを表示するためのデータが格納さている。撮影が良好でなく“−”のスイッチが押された場合に１つ前の状態に戻るために戻り先の情報を−１ＳＴＥＰという形で保有している。ここのステップ情報を変更することでその時の状況とユーザーの指示に従って柔軟な撮影を行なうための指示情報を構成することができる。
【００３４】
上記の＜撮影＞での「ナンバープレート」の場合と同様にして、車台番号の撮影、ボディ全体の撮影、破損部分の撮影、と順次ステップを進めていくと、次の＜確認＞というステップに到る。ここで図１４での確認のためのメッセージが出力されている。＜終了＞の命令によって図１５の「撮影終了」の表示が出る。
【００３５】
図１７は、カメラのスイッチパネル４におけるモードスイッチ４３の動作に関するフローチャートである。
ステップＳ１ではモードスイッチ４３が押されたときに通常撮影モードであるかどうかが判定される。通常撮影モードでないときには次のステップＳ２に進む。ステップＳ２では通常撮影モードの設定をする。ステップＳ１で通常撮影モードであると判定されたときには、ステップＳ３に進んで指示情報選択の動作を行なう。
【００３６】
図１８は、図１７のフローチャートにおけるステップＳ３の指示情報選択の動作の詳細を示すフローチャートである。
先ずステップＳ１で画面をミュートする。この実施の形態ではミュートによって画面のバッククラウンドを灰色一色にする。次にステップＳ２で指示情報メニューを表示する。この指示情報メニューは図６で説明した４種類登録されている指示情報のタイトルの表示である。次にフローチャートＳ３で矢印を１番に付ける。“Ｎo.＝１”とあるが、これは１番のところに選択の矢印を付けるという意味である。ステップＳ４からステップＳ７までは操作スイッチの入力を判定する各ステップである。これらのステップでの判定は、ステップＳ４はモードスイッチ４３、ステップＳ５はスタートスイッチ４１、ステップＳ６はアップスイッチ４８ａ、およびステップＳ７はダウンスイッチ４８ｂの操作の有無（オン／オフ）の判定ステップである。ステップＳ４でモードスイッチ４３がオンのときは通常の撮影動作に戻る。ステップＳ５でスタートスイッチ４１が押されたときにはステップＳ１０での指定された指示情報で撮影の動作をする。ステップＳ１０については後に詳述する。ステップＳ６でアップスイッチ４８ａが押されたときには、矢印を番号の大きい方に進める。ステップＳ７のダウンスイッチ４８ｂが押されたときには、矢印を番号の小さい方に１つ戻す。これらステップＳ６でのアップスイッチ４８ａの操作およびステップＳ７でのダウンスイッチ４８ｂの操作により所望の位置に矢印を移動することができるように、場合に応じてステップＳ８またはステップＳ９を通して動作がＳ４の前の段階に循環するようになされている。
【００３７】
図１９は、図１８のフローチャートにおけるステップＳ１０での指定された指示情報で撮影する動作の詳細を示すフローチャートである。
先ずＳ１でサブディレクトリの作成を行なう。次のステップＳ２ではＳ１で作成したサブティレクトリの中にリレーショナルファイルを作成してファイルオープンする。ステップＳ３で現在指定されて撮影指示を行っている指示情報データの中からデータを取り出す。次のステップＳ４では、取り出されたデータがどのような指示情報に当たるものであるかの判定を行なう。この実施の形態では４つに別れるように、即ち、文字入力か、撮影か、確認か、終了かの４つに別れるようになっている。文字入力と判定されたときにはステップＳ５の文字入力処理に、撮影と判定されたときにはステップＳ６の撮影指示処理に、確認と判定されたときにはステップＳ７の確認指示処理に、終了と判定されたときにはステップＳ８に進む。ステップＳ８ではステップＳ２でオープンされていたリレーショナルファイルをクローズする。ステップＳ９では終了指示処理をする。ステップＳ５，Ｓ６，Ｓ７，Ｓ９については後に詳述する。
【００３８】
ステップＳ２でのリレーショナルファイルとは管理情報をまとめて格納するファイルである。組写真を管理するための管理情報を格納するものとして画像ファイルと同じレベルでディレクトリ内にリレーショナルファイルを作成してその中に文字情報や組になっている画像ファイルのファイル情報を格納して組写真の管理を行なうようにするためのドキュメント管理上のデータファイルである。
【００３９】
図２０は、図１９のフローチャートにおけるステップＳ５での文字入力処理動作の詳細を示すフローチャートである。ステップＳ１で画面をミュートする。これは図１８のステップＳ１におけると同様である。次のステップＳ２で表示情報を表示する。この表示は音声による発音での表示という情報表示形態も含む。これ以降の表示の意味はいずれも同様である。ステップＳ３からＳ１０まではスイッチ入力の判定動作である。ステップＳ３では早送りスイッチ４７ａが押されたか否かを判定し、押されたと判定されたときにはステップＳ１２に進んで入力候補のとばし送りを行なう。通常のアップダウンスイッチ４８ａ，４８ｂでは順次候補を送っていくが、早送りのときは候補の文字を１０ずつ飛ばして送るような送り動作を実行する。ステップＳ４では早戻しスイッチ４７ｂが押されたか否かを判定し、押されたと判定されたときにはステップＳ１３に進んで入力候補のとばし戻しを行なう。この飛ばし戻しでは候補の文字を１０ずつ飛ばして戻るような動作を実行する。次に、ステップＳ５ではアップスイッチ４８ａが押されたか否かを判定し、押されたと判定されたときにはステップＳ１４に進んで入力候補を通常の通り１つずつ送る。ステップＳ６ではダウンスイッチ４８ｂが押されたか否かを判定し、押されたと判定されたときにはステップＳ１５に進んで入力候補を１つずつ戻す。
【００４０】
ステップＳ７ではモードスイッチ４３が押されたか否かを判定し、押されたと判定されたときにはステップＳ１６に進んで入力候補を漢字に変換する。ステップＳ８ではプラススイッチ４６ａが押されたか否かを判定し、押されたと判定されたときにはステップＳ１７に進んで変更桁を右側に送る。ステップＳ９ではマイナススイッチ４６ｂが押されたか否かを判定し、押されたと判定されたときにはステップＳ１８に進んで変更桁を左側に戻す。ステップＳ１０ではスタートスイッチ４１が押されたか否かを判定し、押されたと判定されたときにはステップＳ１１に進んでこのサブルーチンで入力された文字情報をリレーショナルファイルに書き込む。一方、スタートスイッチ４１が押されていないと判定されたときには、ステップＳ３に戻ってこの処理を繰り返す。
【００４１】
図２１は図１９のフローチャートにおけるステップＳ６の撮影指示処理の動作の詳細を示すフローチャートである。ステップＳ１でミュートを解除して被写体像をビューファインダに表示させる。次にステップＳ２で指示情報の表示を行なう。この表示と共に音声によるメッセージが発音されるようになされていることは既述の通りである。ステップＳ３ではスタートスイッチ４１が押されたか否かを判定し、押されたと判定されたときにはステップＳ４に進んで撮影の動作を行なう。一方、スタートスイッチ４１が押されていないと判定されたときには、スタートスイッチ４１が押されるのを待機する。撮影が終了するとステップＳ５に進んでリレーションファイルに撮影した画像データファイルに関するデータを書き込む。
【００４２】
図２２は図１９のフローチャートにおけるステップＳ７の確認指示処理の動作の詳細を示すフローチャートである。ステップＳ１で最終撮影画面の再生を行なう。これは直前のステップで撮影された画像を再生してビューファインダに表示する動作である。ステップＳ３でマイナススイッチ４６ｂが押されたか否かを判定し、押されていないと判定されたときにはステップＳ４に進んでスタートスイッチ４１が押されたか否かを判定し、押されたと判定されたときにはステップＳ５に進んで次の指示情報ステップの実行を指定して処理を終了する。一方、ステップＳ３でマイナススイッチ４６ｂが押されたか否かを判定し、押されていると判定されたときにはステップＳ６に進んで指定されたステップの実行を指定して処理を終了する。
【００４３】
図２３は図１９のフローチャートにおけるステップＳ９の終了指示処理の動作の詳細を示すフローチャートである。ステップＳ１で画面をミュートする。次にステップＳ２で終了メッセージをビューファインダ等に表示する。ステップＳ３でスタートスイッチ４１が押されたか否かを判定し、押されたと判定されたときにはステップＳ４に進んでミュートを解除して被写体を表示する状態に戻し更に次のステップＳ５で通常撮影の設定を行なう。一方、スタートスイッチ４１が押されていないと判定されたときには、スタートスイッチ４１が押されるのを待機する。
【００４４】
図２４は本発明のカメラに適用されるメモリカード内のデータの配置を示す模式図である。メモリカードの記憶領域内にはルートディレクトリと呼ばれる記憶領域内のデータの管理領域があり、そのなかに順番にファイル或いはサブディレクトリの登録ができるようになされている。本実施の形態では指示情報に基づいた撮影が開始されると、それに対応してサブディレクトリが作成される。この例では、ＤＳ０００００１というサブディレクトリが作成される。この場合では図示のようにサブディレクトリＤＳ０００００１はルートディレクトリの１に登録されている。またサブディレクトリの中にファイルの登録ができるようになっており、その１番にリレーションファイルを作成する。これはディレクトリの登録が可能な１番目に登録される。この状態を称して既述の例では１−１とルートディレクトリの１とサブディレクトリの１とをハイフンで繋いだものを１−１として表示してＤＳ０００００１．１ＲＥＬというものを略記的に表現している。
同様に、ナンバープレートを撮影したものは、ファイル名としてはＤＳ０００００２．Ｊ６Ｉというような形でサブディレクトリに登録される。これはディレクトリ内１−２に登録されるのでコマ番号として１−２と略記的に表示される。コマ番号という形で表示例を作っているが、ファイル名称をそのまま表示するような実施の形態を採ることもできる。
【００４５】
このような形で撮影が進んでいき、データ領域には一番右側にデータ領域という形で書かれているようなデータの配置が形成される。リレーシンデータと書いてあるのは、既述のフローチャートの中でリレーションファイルと称呼していたファイルであり、図示のようにこのリレーションファイルのデータがデータ領域の先頭に配置されている。これが組写真の管理データとなる。データ領域には、続いて、ナンバープレートの画像データ，車台番号の画像データ，ボディ全体の画像データ，破損部分の画像データというように、順次の撮影により得られる画像データの配置がなされる。
【００４６】
図２５は図２３で説明したリレーションファイル中のリレーションデータの構造を示す模式図である。
図２５のリレーションファイルの先頭にはタイトルが記録される。次に、関連付けられた書式の書式データとの関連を示す書式ＩＤが入り、その次に、リレーションファイルが作成された作成日付が、作成日付として入る。修正がされた場合は修正日付が入る。この実施の形態では、入力された整理番号として、入力された文字データが次のデータブロックとして入る。これは＜文字＞というＩＤ、ユーザーに指示した「整理番号」というタイトル、入力されている文字数、実際に入力された文字データ、指定された書式の中のどのパートに対応付けられているかという位置データ等々が入っている。
次のブロックはユーザーにコメントして入力要求したものが、上述の整理番号と同じ書式で入っている。これ以降には、撮影された画像が４つ、ドキュメント内の対応付けのパートデータと組み合わせて入っている。この実施の形態では、リレーションファイルに４つの画像のファイル名が＜画像＞の欄に記入されることでドキュメント管理情報が記録されたものとして扱っている。画像の識別データは、画像の識別データの後に撮影した画像のデータファイルのファイル名がパートデータの間に入る。
【００４７】
図２について説明したように、スイッチパネル４のカメラ／通信切換スイッチ４４は通常のカメラとしての動作モードと通信のモードとを切り換えるためのものであり、記録／再生（送信／受信）切換スイッチ４５はカメラがカメラモードで動作しているときの記録／再生の切り換え、および、カメラが通信モードで動作しているときの送信／受信の切り換え操作を行なうためのものである。
今、カメラ／通信切換スイッチ４４をカメラ側に設定し、記録／再生（送信／受信）切換スイッチ４５をカメラモードで動作しているときの再生側に設定した状態で、モードスイッチ４３を操作すると、このモードスイッチを１回押す毎に「通常再生」と「対応付け編集」のモードが交互に切り換わる。
この「対応付け編集」のモードについて以下に図面を参照しつつ説明する。
【００４８】
図２６はカメラが再生モードで動作しているときのビューファインダー９（またはこれと等価な映像を映出する外部モニタ）およびＬＣＤパネル３上での表示状況を示す図である。この図では上側がビューファインダー９の表示であり下側がＬＣＤパネル３の表示である。図示のように画面左上部にカメラの動作モードの表示（ビューファインダー９上では９ｍ，ＬＣＤパネル３上では３ｍで、「再生」と表示）と右上部に撮影のコマ番号の表示（ビューファインダー９上では９ｆ，ＬＣＤパネル３上では３ｆ）がなされる。また、このとき、ビューファインダー９には再生されたコマ番号の画像が（この場合は第１コマの画像）が映出される。
この図２６の状態で、モードスイッチ４３を操作すると、即ち、このモードスイッチを１回押すと「対応付け編集」のモードに移行する。
【００４９】
図２７は本発明のカメラが「対応付け編集」のモードにあるときのビューファインダーおよびＬＣＤパネル上での表示状況を示す図である。この図２７の段階では、図６で説明した撮影のときと同様に指示情報を４種類のうちから１つ選べるようになっている。即ち、４種類の指示情報が表示されて、現在選択されている指示情報の左側に矢印の表示が出るようになっている。アップスイッチ４８ａおよびダウンスイッチ４８ｂを操作することによってこの矢印を移動させて所要の指示情報を選択する。ＬＣＤパネルには、同様に、「編集：指示情報選択」というその時点で指示情報選択モードにある旨の表示と、ビューファインダー上で矢印で選択されている指示情報の種類を表わす表示がなされる。また、同時にスピーカ４１７から音声によって「編集指示情報を選択して下さい」というメッセージが出力される。
この図２７の段階で、上記のような表示或いは任性のメッセージに従って選択操作をした後、スタートスイッチ４１を押すと次の段階に移行する。
【００５０】
図２８は図２７の状態で選択操作を行った後スタートスイッチ４１を押して次の段階に移行したときのビューファインダーおよびＬＣＤパネル上での表示状況を示す図である。図示のようにビューファインダーの左上に「編集：事故査定・小破」という指示情報選択モードになっている旨の表示がなされる。また、右上には２−１というコマ番号表示がなされる。同時に、整理番号の入力を要求するメッセージである「入力：整理番号」の表示が画面中央に現れ、入力すべき部分は点滅表示になる。また、同時にスピーカ４１７から音声によって「整理番号を入力して下さい」というメッセージが出力され、ＬＣＤパネルには「編集：事故査定・小破」「入力：整理番号」の表示がなされる。
ここでアップスイッチ４８ａおよびダウンスイッチ４８ｂを操作することによって、或いは、早送りスイッチ４７ａおよび早戻しスイッチ４７ｂを操作することによって入力候補が選択され表示される。また、一つの桁の入力をした後にプラススイッチ４６ａを押すと入力桁が１つ右に移動する。間違って入力した場合にはマイナススイッチ４６ｂを押すことによってカーソルを左側に戻すことができる。これらの操作要領は図７の撮影の場合と同様である。
全ての入力が終了した後スタートスイッチ４１を押すと次の段階に移行する。
【００５１】
図２９は上述した図２８の段階でスタートスイッチ４１を押すことによって移行する段階でのビューファインダーおよびＬＣＤパネルの表示状況を示す図である。
図２９の状態ではビューファインダーの略々中央に「入力：コメント」というメッセージの表示がなされ、コメントの入力ができるようになる。このときのコメントの入力のための操作方法は、図２８について説明した整理番号の入力の操作と同様である。ＬＣＤパネルにも「入力：コメント」の表示がなされる。同時に「コメントを入力して下さい」という音声によるメッセージも出力される。
【００５２】
図３０は図２９の状態で上記コメント入力が終了した後にスタートスイッチ４１を押すことにより移行する段階でのビューファインダーおよびＬＣＤパネルの表示状況を示す図である。
編集モードのときには、この図３０の段階になると、撮影モードのときとは状況が異なってくる。即ち、指示情報の撮影のステップでは画面は再生モードに移行して直前の撮影画像を確認することとなったが、この編集モードでの図３０の段階では、ビューファインダーの下方に「選択：ナンバープレート」といったような形で操作者に表示がなされ、同時にＬＣＤパネルにも「選択：ナンバープレート」の表示がなされる。また、「ナンバープレート画像を選択して下さい」という音声によるメッセージも出力される。
操作者はこの指示情報（メッセージ）に従ってコマ送りしながら再生画像をナンバープレート画像になるように選択操作する。即ち、対応付け編集モードに入る前に操作者が予め必要な画像データを全て撮影しているということが前提になっている。操作者が任意に撮影した画像を撮影指示情報によって対応付けられた組情報に編集するというモードになっているということである。
図３０の段階で、必要な画像データを選んでスタートスイッチを押すと、再生されている情報が組写真の情報として登録される。
【００５３】
図３１は対応付け編集の詳細を示すフローチャートである。対応付け編集が開始されるとステップＳ１でサブディレクトリを作成する。これは撮影のときと同様である。即ち、対応付け編集が開始されると新たにサブディレクトリが作成されてその中に関連付けられたファイルが入る。次にステップＳ２でリレーションファイルが撮影のときと同様にオープンされる。
次のステップＳ３で、対応付けを行っている指示情報の中から情報をステップ毎の情報として取り出す。ステップＳ４ではそれがどの指示命令に該当するかを判断する。文字入力であると判断されたときにはステップＳ５の文字入力処理に、撮影であると判断されたときにはステップＳ６の画像選択処理に移行し、確認であると判断されたときにはステップＳ３に戻る。命令終了であると判断されたときにはステップＳ７に進んでリレーションファイルを閉じ、ステップＳ８に進んで終了指示の実行を行なう。上記のＳ５の文字入力処理とＳ８の終了指示の動作は撮影のときと同様である。
【００５４】
図３２は図３１のステップＳ６の画像選択処理の詳細を示すフローチャートである。ステップＳ１でカレントのコマを再生する。ステップＳ２で選択指示のメッセージ部分を出力する。これは撮影指示情報中の文字情報を出力するものである。ステップＳ３からＳ７まではスイッチの状態の判定処理である。ステップＳ３では早送りスイッチ４７ａの状態を見て、このスイッチがオンであると判定されたときにはスイッチＳ１０に進んで上位のディレクトリへの移動を行なう。ステップＳ４で早戻しスイッチ４７ｂの状態を見て、このスイッチがオンであると判定されたときにはステップＳ１１に進んで下位のディレクトリへの移動を行なう。ステップＳ５でアップスイッチ４８ａがオンであると判定されたときにはステップＳ１２に進んでプラス１コマの再生を行なう。ステップＳ６でダウンスイッチ４８ｂがオンであると判定されたときにはステップＳ１３に進んでマイナス１コマの再生を行なう。ステップＳ１０からＳ１３までの処理が終了したときにはステップＳ３に戻る。ステップＳ７ではスタートスイッチ４１の状態を見て、このスイッチが押されていないと判定されたときにはステップＳ３に戻る。このステップＳ７でスタートスイッチ４１がオンであると判定されたときにはステップＳ８に進んで、現在リレーションファイル等を作成している対応付け編集が行われている編集ディレクトリ内であるか否かの判定を行なう。編集ディレクトリ内でなければステップＳ１４で現在再生している画像データを編集ディレクトリ内にコピーする。そのコピーしてきた画像をステップＳ９でリレーションァイル内に書き込む。この書き込みによって、再生モードで指示情報に従った既に撮影された画像を撮影指示情報に従って対応付けするという作業が終了し、１組の組写真の情報が作成されたことになる。
【００５５】
次に、関連付けられた画像情報と管理情報を公衆電話回線を介して伝送し、パーソナルコンピュータでドキュメントとして生成する実施の形態について説明する。
図３３は本願発明の一実施の形態としてのデジタル電子スチルカメラを含む画像情報伝送処理システムを示す系統図である。同図において、本願発明の一実施の形態としてのデジタル電子スチルカメラ３３１によって撮影された画像の画像情報はモデム３３２を介して公衆電話回線３３３により目的とする相手方に伝送され、この相手方でモデム３３４を介してパーソナルコンピュータ３３５で受信されるようになされている。パーソナルコンピュータ３３５にはプリンタ３３６が接続されている。デジタル電子スチルカメラ３３１から伝送された画像情報はこのパーソナルコンピュータ３３５で処理され、既述のようなドキュメントに編集される。この図３３のシステムでは公衆回線を利用し直接に画像情報を伝送するようにしているが、カメラ３３１側に装填された情報記録媒体をオフラインでパーソナルコンピュータ３３５側に装填し直して上記同様の処理を行いドキュメントを編集するようにすることもできる。
【００５６】
図３４は、カメラ／通信切換スイッチ４４が通信に設定され、記録／再生（送信／受信）切換スイッチ４５が送信に設定されたときのビューファインダーおよびＬＣＤパネル上での表示状況を示す図である。
図示のようにビューファインダーの左上に「送信：データ選択」という送信でデータ選択モードになっている旨の表示がなされる。また、右上には１−１というコマ番号表示がなされる。同時に、画面全体には上記のコマ番号の再生画像が表示されると共に、画面中央に整理番号の表示がなされる。画面中のこの整理番号は、上述したリレーションファイルの先頭の文字情報である整理番号が表示されたものである。再生画像としてはリレーションファイル内の先頭の再生画像であるナンバープレートの画像が再生されることになる。この先頭の再生画像から選択されている組写真の内容を知ることができる。
ＬＣＤパネルにも「送信：データ選択」の表示、コマ番号の表示、および整理番号の表示がなされる。また、「送信データを選択して下さい」という音声によるメッセージも出力される。
この状態でアップスイッチ４８ａまたはダウンスイッチ４８ｂを操作することによって既記録の組写真を選択することができる。ここでスタートスイッチ４１を押すことによって送信する組写真データを選択することができる。
【００５７】
図３５は、図３４の段階でスタートスイッチ４１を押すことによって移行する状態でのビューファインダーおよびＬＣＤパネル上での表示状況を示す図である。ここでは予め設定された４つの送信先が表示される。尚、背景の画像はミュートされる。この表示では選択された送信先の左側に矢印のマークが現れる。この表示状態にあるときに選択の矢印の位置はアップスイッチ４８ａまたはダウンスイッチ４８ｂを操作することによって移動し、任意の送信先が選択されることになる。矢印がいずれかの位置にあるときにスタートスイッチ４１を押すことによってその送信先に図３４の段階で選択された組写真をまとめて伝送することができる。
【００５８】
図３６はデータ送信の手順を表わすフローチャートである。ステップＳ１でリレーションファイルより送信画像のリストを作成する。ステップＳ２でリレーションファイルの送信を行なう。次のステップＳ３で、作成された送信画像リストの画像ファイルを送信する。ステップＳ４では終了の判定をして、送信の対象となる全ての画像ファイルの送信が終了するとこのデータ送信のルーチンを終了する。上記全ての画像ファイルの送信が終了していないときにはステップＳ３に戻る。図３３で説明したようなシステムでは、パーソナルコンピュータ３３５はデジタル電子スチルカメラ３３１から伝送されたリレーションファイルと画像ファイルとを受信する。パーソナルコンピュータ３３５では、この受信したリレーションファイルを基に画像ファイルをレイアウトして所定の様式に適合するようにドキュメントを作成する。
【００５９】
図３７は上述したようにデジタル電子スチルカメラ３３１から伝送されたリレーションファイルと画像ファイルとに基づいて作成されるドキュメントの様式の一例を示す模式図である。
これは、図２５で説明したリレーションファイル中の＜書式ＩＤ＞０００１と関連付けられたドキュメントの情報で作られたものである。この＜書式ＩＤ＞０００１のドキュメントの情報はパーソナルコンピュータ３３５側に格納さている。パーソナルコンピュータ３３５はこのドキュメントの配置情報とリレーションファイルの中のパート情報（図３７中、ＰＡＲＴ＝１〜ＰＡＲＴ＝６と表記された様式中の配置を特定する情報）を組み合わせて、ドキュメント内のどこの位置に受信された画像ファイルが対応付けられるかを判断して、撮影画像或いは整理番号等の文字データやコメント等を配置して、所定様式に適合したドキュメントを構成する。
【００６０】
以上の実施の形態の説明では、指示情報が既に入力れているものとの仮定に立って説明したが、本発明のカメラは指示情報の入力手段を有しており、これによって指示情報の入力を行なうように構成されている。
図３８は指示情報の入力を行なうための動作モードにあるときのビューファインダーおよびＬＣＤパネル上での表示状況を示す図である。
モードスイッチ４３とスタートスイッチ４１とを同時に押すことによってこのモードに入ることができる。
図示のようにビューファインダーの左上およびＬＣＤパネルに「入力：入力番号選択」という入力番号の選択を促す旨の表示がなされる。また、画面内には４つの指示情報が表示される。尚、背景の画像はミュートされる。この表示では選択された指示情報の左側に矢印のマークが現れる。矢印のマークが付いた指示情報（指示情報１）の表示はＬＣＤパネルにも出る。音声では「入力番号を選択して下さい」と発音される。この表示状態にあるときに選択の矢印の位置はアップスイッチ４８ａまたはダウンスイッチ４８ｂを操作することによって移動し、任意の指示情報が選択されることになる。矢印がいずれかの位置（この例では指示情報１）にあるときにスタートスイッチ４１を押すことによって指示情報を確定することができる。
【００６１】
図３９は図３８の段階でスタートスイッチ４１を押すことによって移行する状態におけるビューファインダーおよびＬＣＤパネル上での表示状況を示す図である。この図３９の段階では、ビューファインダーの左上およびＬＣＤパネルに「入力：指示情報１」という表示が出る。カメラからの入力要求はタイトルの入力を促す「入力：タイトル」とされるため、操作者はこの表示に応じて指示情報のタイトルを入力する。この例では、「事故査定・小破」という形のタイトルが入力される。スタートスイッチ４１を押すとこの入力が確定して、次の段階に移行する。
【００６２】
図４０は図３９の段階でスタートスイッチ４１を押すことによって移行する状態におけるビューファインダーおよびＬＣＤパネル上での表示状況を示す図である。この図４０の段階では、書式ＩＤ、即ち、対応付けをされる書式のＩＤコードが入力される。この例では、０００１を入力してスタートスイッチ４１を押すとこの入力が確定して、次の段階に移行する。
【００６３】
図４１は図４０の段階でスタートスイッチ４１を押すことによって移行する状態でのビューファインダーおよびＬＣＤパネル上での表示状況を示す図である。図示のように指示情報の中の指示可能なものが一覧表示されている。これは、文字入力表示と撮影指示表示と終了表示である
【００６４】
このような一覧表示に対して、既述の矢印をアップスイッチ４８ａまたはダウンスイッチ４８ｂを操作することによって移動し、任意の指示情報が選択されることになる。スタートスイッチ４１を押すとこの入力が確定して、次の段階に移行する。
【００６５】
図４２は図４１の段階で矢印による選択を行ってからスタートスイッチ４１を押すことによって移行する状態でのビューファインダーおよびＬＣＤパネル上での表示状況を示す図である。この例では文字入力の指示の入力画面になる。音声によるメッセージも出される。このときに指示文が入っていて、本実施の形態では最初にここに「整理番号」と入る。次に文字数を入力して＜書式ＩＤ＞０００１の中のパートのＩＤを入力する。このような入力操作をコメントに対しても行なう。
【００６６】
図４３は図４２の段階の後撮影指示の設定状態となったときのビューファインダーおよびＬＣＤパネル上での表示状況を示す図である。図示のとおり「設定：撮影指示」という表示がされ、音声によるメッセージも出される。このときにも指示文を入力する。例えば、ナンバープレート，車台番号，ボディ全体，破損部分というような指示文を入力する。併せて、書式ＩＤとの対応付けを行なうパートＩＤを入力する。確認が必要な場合は次の段階で確認の入力を行なう。
【００６７】
図４４は上述の図４３の段階での入力後、確認が必要な場合に確認の入力を行なうことが可能な状態となったときのビューファインダーおよびＬＣＤパネル上での表示状況を示す図である。この段階では、確認の指示を行なうための指示文および確認で撮影不良（ＮＧ）であった場合の飛び先を表わすための飛び先の入力をする。以上のような操作を繰り返すことによって入力を行い、図４１の「終了」を選択すると入力が終了する。
上述においては、パート番号はパーソナルコンピュータ側が配置情報を保持していて、それに対して当該配置情報（様式）の中のどこの部分に相当するかをパート（ＰＡＲＴ）という形で管理情報の中に書き込むものとして実施の形態を説明したが、同様の配置（様式）に関する管理（処理）をカメラ側でフレキシブルに行いたい場合に、それをレイアウト情報として付加した実施の形態を次に説明する。
【００６８】
図４５は図１６を用いて説明したものとは異なる例としてのデジタル電子スチルカメラのＥＥＰＲＯＭ内に格納されている指示情報データの構造を示す模式図である。
図１６では指示データはパート（ＰＡＲＴ）という形で書かれているが、この図４５の例では撮影のパート部分にドキュメントの左上の座標と右下の座標を格納している。パーソナルコンピュータ側はこの座標データを認識してドキュメント内に配置するようにシステムを構成することにより、カメラ側で自由なレイアウト情報を付加して任意に所望のレイアウトを行なうことができる。
図４５では、更に、＜文字入力＞の部分がパート情報となっているが、この部分を座標指定するような形でレイアウト情報を付加することによって、ドキュメント内の文字の情報も自由に配置することが可能となる。
【００６９】
図４６は撮影指示の中で自由なレイアウトを行なうような実施の形態におけるビューファインダーおよびＬＣＤパネル上での表示状況を示す図である。図示のとおり「設定：撮影指示」という表示がされ、音声による「撮影指示を設定して下さい」というメッセージも出される。操作者はこれに応じて指示文を入力する。この実施の形態では、このときに右上と左下の位置情報を入力できるように構成してあり、自由度の高いレイアウト情報の入力が可能となる。複数の画像情報を組写真とする場合に、記録モードでは撮影の、撮影モードでは操作者が複数の画像情報を組写真とする場合の、指針としての情報が与えられる。また、カメラの再生モードにおいては、対応付け機能が動作する。
また一方、パーソナルコンピュータ側に対して組写真データを、画像データと管理情報を総合した組写真のデータとして伝送する場合、その組写真を選択するような機能を設けることによって、通信を行なう場合の各種選択を簡便に行なうこともできる。
以上の実施の形態は本発明をデジタル電子スチルカメラとして構成した場合の例であるが、発明思想は銀塩カメラに適用することができる。
【００７０】
本願明細書に含まれる各他の発明の構成ならびにそれらにより解決される課題、発明としての効果について以下にまとめて記す。
【００７１】
（１）光学系を通して形成される被写体の像に係る画像情報を記録体に記録するようになされたカメラであって、
被写体としての対象物のいずれの部位を撮影すべきかに関する指示情報を撮影者に認識可能に提供するための指示情報出力手段を備えたことを特徴とするカメラ。
【００７２】
上記（１）の発明以前の技術では、被写体の撮影すべき部位に関するガイドメッセージを出すようなカメラはなかった。このため所定の関連を持った定型的な組写真を撮る場合等では手順に沿った撮影作業を行なうことは非常に煩雑であるといった課題があった。
【００７３】
上記（１）の発明によれば、撮影に不慣れな使用者でも、カメラの保有する指示情報出力手段からの指示情報に従って順次撮影作業を行なうだけで、所定の関連を持った定型的な組写真等を撮る作業が極め容易に効率的にできる。
【００７４】
（２）光学系を通して形成される被写体の像に係る画像情報を記録体に記録するようになされたカメラであって、
撮影者に提供する被写体としての対象物のいずれの部位を撮影すべきかに関する指示情報を予め入力するための指示情報入力手段と、
上記指示情報入力手段を通して入力された指示情報を記憶しておくための指示情報記憶手段と、
上記指示情報記憶手段に記憶された指示情報を撮影者に認識可能に出力するための指示情報出力手段と、
を備えたことを特徴とするカメラ。
【００７５】
上記（２）の発明によれば、上記（１）の発明による効果に加えて指示情報入力手段によって予め入力する指示情報を使用者の任意によって設定可能であるため、種々の目的に適合し得るものとなる。
【００７６】
（３）光学系を通して形成される被写体の像に係る光電変換出力を画像信号として出力する撮像手段と、上記撮像手段から出力された画像信号乃至該画像信号に係る画像データ等の画像情報を記録体に記録する記録手段とを備えたカメラであって、
被写体としての対象物のいずれの部位を撮影すべきかに関する指示情報を予め入力するための指示情報入力手段と、
上記指示情報入力手段を通して入力された指示情報を記憶しておくための指示情報記憶手段と、
上記指示情報記憶手段に記憶された指示情報を撮影者に認識可能に出力するための指示情報出力手段と、
上記指示情報出力手段から出力される指示情報に依拠して撮影記録された画像情報が所定のドキュメントの作成に用いられるべき画像情報であるとの認識をして該認識を当該ドキュメントの管理情報として上記記録体に当該画像情報と共に記録するドキュメント管理情報記録手段と、
を備えたことを特徴とするカメラ。
【００７７】
上記（３）の発明によれば、上記（１）および（２）の発明による効果に加えて、撮影記録された画像情報が所定のドキュメントの作成に用いられるべき画像情報であるとの当該ドキュメントの管理情報と共に記録体に記録されるため、この記録体の記録に基づいて視認性に優れた様式（書式）のドキュメントを容易に効率的に作成できるという利点がある。
【００７８】
（４）光学系を通して形成される被写体の像に係る光電変換出力を画像信号として出力する撮像手段と、上記撮像手段から出力された画像信号乃至該画像信号に係る画像データ等の画像情報を記録体に記録する記録手段とを備えたカメラであって、
被写体としての対象物のいずれの部位を撮影すべきかに関する指示情報を予め入力するための指示情報入力手段と、
上記指示情報入力手段を通して入力された指示情報を記憶しておくための指示情報記憶手段と、
上記指示情報記憶手段に記憶された指示情報を撮影者に認識可能に出力するための指示情報出力手段と、
上記指示情報出力手段から出力される指示情報に依拠して撮影記録された画像情報が所定のドキュメントの作成に用いられるべき画像情報であるとの認識をして該認識を当該ドキュメントの管理情報として上記記録体に当該画像情報と共に記録するドキュメント管理情報記録手段と、
上記記録手段によって記録された画像情報を所定の伝送先に伝送する画像伝送手段と、
上記画像伝送手段が少なくとも上記指示情報に依拠して撮影記録された画像情報および上記ドキュメント管理情報とをまとめて伝送を行なうよう制御する画像伝送制御手段と、
を備えたことを特徴とするカメラ。
【００７９】
上記（４）の発明によれば上記（１）乃至（３）の発明の効果に加えて、画像を含むドキュメントを作成するに十分なデータを一つのまとまったデータとして伝送することができるため、遠隔地で所要のデータを得てドキュメントを自動作成することができる。
【００８０】
（５）上記指示情報入力手段は、更に、上記指示情報に依拠して撮影記録される画像情報を利用したドキュメントの作成に当たって必要となる付帯情報を入力設定するための付帯情報入力設定手段を含むものであることを特徴とする上記（３）または（４）のカメラ。
【００８１】
上記（５）の発明によれば上記（３）乃至（４）の発明の効果に加えて、ドキュメントのタイトルや定形文書のＩＤ情報を入力設定し、画像と共に記録し利用することにより、様々な定形文書を自動構成することが可能な画像データの作成ができる。
【００８２】
（６）上記付帯情報入力設定手段が、当該ドキュメントの作成に利用される画像情報の上記ドキュメント上での位置や大きさを規定するためのレイアウト情報を入力設定するための手段であることを特徴とする上記（５）のカメラ。
【００８３】
上記（６）の発明によれば上記（５）の発明の効果に加えて、撮影画像にちレイアウト情報を付加しておくことにより、自由な画像のレイアウトを指定したドキュメントを遠隔地にて作成し伝送できる。
【００８４】
（７）上記指示情報入力手段は、更に、上記指示情報に依拠して撮影記録される画像情報に関する解説的情報であるコメント情報を入力設定するためのコメント情報入力設定手段を含むものであることを特徴とする上記（３）または（４）のカメラ。
【００８５】
上記（７）の発明によれば上記（３）乃至（４）の発明の効果に加えて、コメント情報を画像情報に付加しておくことにより、画像データを含んで構成されたドキュメントの利用価値が高まる。
【００８６】
（８）上記コメント情報入力設定手段は、更に、当該入力設定されるコメント情報の上記ドキュメント上での位置や範囲を規定するためのレイアウト情報を入力設定するための手段を含むものであることを特徴とする上記（７）のカメラ。
【００８７】
上記（８）の発明によれば上記（７）の発明の効果に加えて、画像と付随するコメントの配置情報を含んだデータを作成することにより、構成されるドキュメントの形態の多用化が計られ得る。
【００８８】
（９）上記画像伝送制御手段は、上記画像情報および上記ドキュメント管理情報と共に、上記指示情報に依拠して撮影記録される画像情報を利用したドキュメントの作成に当たって必要となる付帯情報および／または上記指示情報に依拠して撮影記録される画像情報に関する解説的情報であるコメント情報の伝送をまとめて行なうように制御する手段を含んでなるものであることを特徴とする上記（４）のカメラ。
【００８９】
上記（９）の発明によれば上記（４）の発明の効果に加えて、業務上の価値の高いドキュメントを簡単に構成することが可能になる。
【００９０】
（１０）上記指示情報出力手段から出力される指示情報が、それぞれの指示内容が互いに異なる複数の指示情報より構成され、上記指示情報出力手段は、該複数の各指示情報を出力するようになされたものであることを特徴とする上記（１）、（２）、（３）または（４）のカメラ。
【００９１】
上記（１０）の発明によれば上記（１）乃至（４）の発明の効果に加えて、複数の指示情報を出力するため、複雑な撮影業務（作業）の指示を効果的に行なうことができる。
【００９２】
（１１）上記指示情報出力手段は、撮影者による撮影記録動作の終了毎に順次、後続する新しい指示情報を時系列で出力するものであることを特徴とする上記（１０）のカメラ。
【００９３】
上記（１１）の発明によれば上記（１０）の発明の効果に加えて、操作者がカメラの操作指示に従って撮影を行なうだけでドキュメントとしてまとまりのある組写真を撮ることができる。
【００９４】
（１２）上記指示情報出力手段は、撮影者による撮影記録動作の終了毎に順次、後続する新しい指示情報を時系列で出力する際に、所要に応じて前回撮影記録動作時の指示情報を再現させる手段を含んでなるものであることを特徴とする上記（１１）のカメラ。
【００９５】
上記（１２）の発明によれば上記（１１）の発明の効果に加えて、操作者に撮影データのフィードバックを行い、前回指示へ戻れるようにすることで撮りなおしの操作が極めて容易になる。
【００９６】
（１３）上記指示情報出力手段から出力される指示情報が、それぞれの指示内容が互いに異なる複数の指示情報より構成される指示情報群の異なる複数種のものによって構成され、該複数種の指示情報群のうちから一の指示情報を選択するための指示情報群選択手段を含んでなるものであることを特徴とする上記（１）、（２）、（３）または（４）のカメラ。
【００９７】
上記（１３）の発明によれば上記（１）乃至（４）の発明の効果に加えて、撮影結果と撮影の状況により指示情報を適応的に変更可能にすれば複雑な業務での撮影も可能になる。
【００９８】
（１４）上記指示情報出力手段から出力される指示情報の内容に対応した文字情報を生成する文字情報生成手段と、
上記文字情報生成手段で生成された文字情報を適用された映像表示手段に表示せしめる表示手段と、
を更に備えたことを特徴とする上記（１）、（２）、（３）または（４）のカメラ。
【００９９】
上記（１４）の発明によれば上記（１）乃至（４）の発明の効果に加えて、ファインダー等に指示情報が文字で表示されることにより不慣れな操作者でも確実に撮影を行なうことができる。
【０１００】
（１５）上記指示情報出力手段から出力される指示情報の内容に対応した音声情報を生成する音声情報生成手段と、
上記音声情報生成手段で生成された音声情報を適用された音声出力手段に供給せしめる音声出力制御手段と、を更に備えたことを特徴とする上記（１）、（２）、（３）または（４）のカメラ。
【０１０１】
上記（１５）の発明によれば上記（１）乃至（４）の発明の効果に加えて、ファインダー等の視認が困難な状況下でも音声によって容易に指示通りの撮影を行なうことができる。
【０１０２】
（１６）上記指示情報入力手段によって入力される指示情報が、同一の撮影対象物に関して互いに異なる撮影対象部位を特定するための複数の指示情報からなることを特徴とする上記（２）、（３）または（４）のカメラ。
【０１０３】
上記（１６）の発明によれば上記（２）乃至（４）の発明の効果に加えて、撮影対象のいくつかの部位を指定して撮影の指示が出され、これに応じて撮影することでドキュメントとして有用な組写真を誰でも撮影することができる。
【０１０４】
（１７）上記指示情報入力手段によって入力される指示情報が、同一の撮影対象物に関して互いに異なる撮影対象部位を特定するための複数の指示情報からなる指示情報群の異なる複数種をもって構成され、該複数種の指示情報群は各別に選択可能に構成されたものであることを特徴とする上記（２）、（３）または（４）のカメラ。
【０１０５】
上記（１７）の発明によれば上記（２）乃至（４）の発明の効果に加えて、予め入力しておくべき指示情報を選択できるため、多様な業務に適用することができる。
【０１０６】
（１８）光学系を通して形成される被写体の像に係る画像情報を記録体に記録するようになされたカメラであって、
被写体としての対象物のいずれの部位を撮影すべきかに関する指示情報を撮影者に認識可能に出力する出力モードと、該指示情報を出力しない非出力モードとの、いずれのモードで動作するかを選択的に切り換え制御する動作制御手段を備えたことを特徴とするカメラ。
【０１０７】
上記（１８）の発明によれば、定形的業務以外のときには通常のカメラとして使用できるので用途が広がる。
【０１０８】
（１９）光学系を通して形成される被写体の像に係る画像情報を記録体に記録するようになされたカメラであって、
撮影記録された各画像情報を、予め当該カメラに入力設定された、撮影対象物のいずれの部分を撮影記録するかの撮影対象部位を特定するための撮影者にとって必要な指示情報に対応付けるための画像対応付手段を備えたことを特徴とするカメラ。
【０１０９】
上記（１９）の発明によれば、予め撮影が行われている画像を撮影指示情報と対応付ける手段を有するため、撮影指示情報に従った撮影が行われなかった画像も組写真としてまとめて付帯情報と関連付けることができる。
即ち、記録モードではガイド機能となる指示情報が再生モードでは対応付け機能となる。
【図面の簡単な説明】
【０１１０】
【図１】本発明のカメラの一つの実施の形態としてのデジタル電子スチルカメラの構成を示す斜視図である。
【図２】図１のカメラのスイッチパネル４におけるスイッチの配置の詳細を示す図である。
【図３】本発明の実施の形態としてのデジタル電子スチルカメラの構成を示すブロック図である。
【図４】本発明のカメラを用いて車両の事故での査定業務のための撮影を行なう様子を示す図である。
【図５】本発明のカメラが通常撮影モードで動作しているときのビューファインダーおよびＬＣＤパネル上での表示状況を示す図である。
【図６】本発明のカメラが指示情報の選択モードにあるときのビューファインダーおよびＬＣＤパネル上での表示状況を示す図である。
【図７】図６の状態で選択操作を行った後スタートスイッチを押してその指示情報が実行されるときのビューファインダーおよびＬＣＤパネル上での表示状況を示す図である。
【図８】図７の状態で全ての入力が終了した後にスタートスイッチを押すことにより移行する状態でのビューファインダーおよびＬＣＤパネルの表示状況を示す図である。
【図９】図８の状態で上記コメント入力が終了した後にスタートスイッチを押すことにより移行する段階でのビューファインダーおよびＬＣＤパネルの表示状況を示す図である。
【図１０】図９の状態で最初の撮影が終了した後に移行する段階でのビューファインダーおよびＬＣＤパネルの表示状況を示す図である。
【図１１】図１０の状態で最初の撮影が良好で間違いがない場合にスタートスイッチを押すことにより移行する状態でのビューファインダーおよびＬＣＤパネルの表示状況を示す図である。
【図１２】図１１の状態で２回目の撮影が終了した後に移行する段階でのビューファインダーおよびＬＣＤパネルの表示状況を示す図である。
【図１３】図１２の状態で３回目の撮影が終了した後に移行する段階でのビューファインダーおよびＬＣＤパネルの表示状況を示す図である。
【図１４】図１３の状態で４回目の撮影が終了した後に移行する段階でのビューファインダーおよびＬＣＤパネルの表示状況を示す図である。
【図１５】図１４の状態で前段階の撮影が良好で間違いがない場合にスタートスイッチを押すことにより移行する状態でのビューファインダーおよびＬＣＤパネルの表示状況を示す図である。
【図１６】図３のデジタル電子スチルカメラのＥＥＰＲＯＭ内に格納されている指示情報データの構造を示す模式図である。
【図１７】カメラのスイッチパネルにおけるモードスイッチの動作に関するフローチャートである。
【図１８】図１７のフローチャートにおけるステップＳ３の指示情報選択の動作の詳細を示すフローチャートである。
【図１９】図１８のフローチャートにおけるステップＳ１０での指定された指示情報で撮影する動作の詳細を示すフローチャートである。
【図２０】図１９のフローチャートにおけるステップＳ５での文字入力処理動作の詳細を示すフローチャートである。
【図２１】図１９のフローチャートにおけるステップＳ６の撮影指示処理の動作の詳細を示すフローチャートである。
【図２２】図１９のフローチャートにおけるステップＳ７の確認指示処理の動作の詳細を示すフローチャートである。
【図２３】図１９のフローチャートにおけるステップＳ９の終了指示処理の動作の詳細を示すフローチャートである。
【図２４】本発明のカメラに適用されるメモリカード内のデータの配置を示す模式図である。
【図２５】図２３で説明されているリレーションファイル中のリレーションデータの構造を示す模式図である。
【図２６】カメラが再生モードで動作しているときのビューファインダーおよびＬＣＤパネル上での表示状況を示す図である。
【図２７】本発明のカメラが「対応付け編集」のモードにあるときのビューファインダーおよびＬＣＤパネル上での表示状況を示す図である。
【図２８】図２７の状態で選択操作を行った後スタートスイッチを押して次の段階に移行したときのビューファインダーおよびＬＣＤパネル上での表示状況を示す図である。
【図２９】図２８の段階でスタートスイッチ４１を押すことによって移行する段階でのビューファインダーおよびＬＣＤパネルの表示状況を示す図である。
【図３０】図２９の状態でコメント入力が終了した後にスタートスイッチを押すことにより移行する段階でのビューファインダーおよびＬＣＤパネルの表示状況を示す図である。
【図３１】対応付け編集の詳細を示すフローチャートである。
【図３２】図３１のステップＳ６の画像選択処理の詳細を示すフローチャートである。
【図３３】本願発明の一実施の形態としてのデジタル電子スチルカメラを含む画像情報伝送処理システムを示す系統図である。
【図３４】カメラ／通信切換スイッチが通信に設定され、記録／再生（送信／受信）切換スイッチが送信に設定されたときのビューファインダーおよびＬＣＤパネル上での表示状況を示す図である。
【図３５】図３４の段階でスタートスイッチを押すことによって移行する状態でのビューファインダーおよびＬＣＤパネル上での表示状況を示す図である。
【図３６】データ送信の手順を表わすフローチャートである。
【図３７】デジタル電子スチルカメラから伝送されたリレーションファイルと画像ファイルとに基づいて作成されるドキュメントの様式の一例を示す模式図である。
【図３８】指示情報の入力を行なうための動作モードにあるときのビューファインダーおよびＬＣＤパネル上での表示状況を示す図である。
【図３９】図３８の段階でスタートスイッチを押すことによって移行する状態にでのビューファインダーおよびＬＣＤパネル上での表示状況を示す図である。
【図４０】図３９の段階でスタートスイッチを押すことによって移行する状態でのビューファインダーおよびＬＣＤパネル上での表示状況を示す図である。
【図４１】図４０の段階でスタートスイッチを押すことによって移行する状態でのビューファインダーおよびＬＣＤパネル上での表示状況を示す図である。
【図４２】図４１の段階で矢印による選択を行ってからスタートスイッチを押すことによって移行する状態でのビューファインダーおよびＬＣＤパネル上での表示状況を示す図である。
【図４３】図４２の段階の後撮影指示の設定状態となったときのビューファインダーおよびＬＣＤパネル上での表示状況を示す図である。
【図４４】図４３の段階での入力後、確認が必要な場合に確認の入力を行なうことが可能な状態となったときのビューファインダーおよびＬＣＤパネル上での表示状況を示す図である。
【図４５】デジタル電子スチルカメラのＥＥＰＲＯＭ内に格納されている指示情報データの構造を示す模式図である。
【図４６】撮影指示の中で自由なレイアウトを行なうような実施の形態におけるビューファインダーおよびＬＣＤパネル上での表示状況を示す図である。
【符号の説明】
【０１１１】
１  カメラボディ
２  撮影レンズ
３  ＬＣＤパネル
４  スイッチパネル
５  カードスロット
６  カード
７  モデムカード
８  出力端子
９  ファインダー
４１  スタートスイッチ
４２  パワースイッチ
４３  モードスイッチ
４４  カメラ／通信切換スイッチ
４５  記録／再生（送信／受信）切換スイッチ
４６ａ  プラススイッチ
４６ｂ  マイナススイッチ
４７ａ  早送りスイッチ
４７ｂ  早戻しスイッチ
４８ａ  アップスイッチ
４８ｂ  ダウンスイッチ
３３１  デジタル電子スチルカメラ
３３２  モデム
３３３  公衆電話回線
３３４  モデム
３３５  パーソナルコンピュータ
３３６  プリンタ
４０１  光学系
４０２  撮像回路
４０３  Ａ／Ｄ変換回路
４０４  画像メモリ
４０５  Ｄ／Ａ変換回路
４０６  プロセス回路
４０７  ビューファインダー
４０８  圧縮伸張回路
４０９  インターフェース回路（１）
４１０  コネクタ（１）
４１１  メモリカード
４１２  インターフェース回路（２）
４１３  コネクタ（２）
４１４  モデムカード
４１５  システム制御回路
４１６  Ｄ／Ａ変換回路
４１７  スピーカ
４１８  表示パネル
４１９  操作スイッチ群
４２０  ＥＥＰＲＯＭ
４２１  キャラクタジェネレータ
【図１】
2006228247.tif 000003
【図２】
2006228247.tif 000004
【図３】
2006228247.tif 000005
【図４】
2006228247.tif 000006
【図５】
2006228247.tif 000007
【図６】
2006228247.tif 000008
【図７】
2006228247.tif 000009
【図８】
2006228247.tif 000010
【図９】
2006228247.tif 000011
【図１０】
2006228247.tif 000012
【図１１】
2006228247.tif 000013
【図１２】
2006228247.tif 000014
【図１３】
2006228247.tif 000015
【図１４】
2006228247.tif 000016
【図１５】
2006228247.tif 000017
【図１６】
2006228247.tif 000018
【図１７】
2006228247.tif 000019
【図１８】
2006228247.tif 000020
【図１９】
2006228247.tif 000021
【図２０】
2006228247.tif 000022
【図２１】
2006228247.tif 000023
【図２２】
2006228247.tif 000024
【図２３】
2006228247.tif 000025
【図２４】
2006228247.tif 000026
【図２５】
2006228247.tif 000027
【図２６】
2006228247.tif 000028
【図２７】
2006228247.tif 000029
【図２８】
2006228247.tif 000030
【図２９】
2006228247.tif 000031
【図３０】
2006228247.tif 000032
【図３１】
2006228247.tif 000033
【図３２】
2006228247.tif 000034
【図３３】
2006228247.tif 000035
【図３４】
2006228247.tif 000036
【図３５】
2006228247.tif 000037
【図３６】
2006228247.tif 000038
【図３７】
2006228247.tif 000039
【図３８】
2006228247.tif 000040
【図３９】
2006228247.tif 000041
【図４０】
2006228247.tif 000042
【図４１】
2006228247.tif 000043
【図４２】
2006228247.tif 000044
【図４３】
2006228247.tif 000045
【図４４】
2006228247.tif 000046
【図４５】
2006228247.tif 000047
【図４６】
2006228247.tif 000048